(57)【特許請求の範囲】
【請求項１】
紙と粘着剤層と離型紙からなる矩形状の積層体の表出した紙面に、熨斗の図柄が少なくとも一つ設けられた熨斗紙部と配送伝票が設けられた配送伝票部が形成され、前記熨斗紙部と前記配送伝票部がミシン目により切り取り可能に形成されており、前記配送伝票部において、前記配送伝票部を形成する最上部紙片と前記積層体とが三周辺で接着されてなる一辺に開口部を有する袋状物が形成され、該袋状物内に、所定枚の配送票片を抜き取り可能に介在させており、該抜き取り可能に介在された所定枚の配送票片の前記最上部紙片側の配送票片が他の配送票片よりも前記開口部から長く突出し、その突出した端部の所定箇所で前記積層体と接着していることを特徴とする帳票。
【請求項２】
紙と粘着剤層と離型紙からなる矩形状の積層体の表出した紙面に、熨斗の図柄が少なくとも一つ設けられた熨斗紙部と配送伝票が設けられた配送伝票部が形成され、前記熨斗紙部と前記配送伝票部がミシン目により切り取り可能に形成されており、前記配送伝票部において、前記配送伝票部を形成する最上部紙片と前記積層体とが三周辺で接着されてなる一辺に開口部を有する袋状物が形成され、該袋状物内に、所定枚の配送票片を抜き取り可能に介在させており、該抜き取り可能に介在された所定枚の配送票片が前記開口部において、前記最上部紙片側から前記積層体側へ階段状に順に長く突出し、その突出した各端部の所定箇所で、より下方に位置する配送票片ないしは前記積層体と接着していることを特徴とする帳票。
【請求項３】
前記最上部紙片が荷札票片からなると共に前記所定枚の配送票片が受領票片と着店控票片からなることを特徴とする請求項１または請求項２に記載の帳票。
【発明の詳細な説明】
【０００１】
【発明の属する技術分野】
本発明は、配送品の配送作業に際して用いられる配送伝票と配送品に貼着される熨斗紙からなる帳票に関し、更に詳しくは、配送伝票と配送品に貼着される熨斗紙に同時プリントが可能な帳票に関するものである。
【０００２】
【従来の技術】
従来、配送品の配送作業は、お届け先や依頼主の住所や氏名および注文商品名等の配送伝票へのプリントと、粗品や内祝あるいは依頼主名等の配送品に貼着される熨斗紙へのプリントとは別々に行い、プリントした配送伝票と熨斗紙に記載された粗品や内祝あるいは依頼主名等とをマッチングさせて後に、配送品（注文商品）を確認して、配送品に熨斗紙を貼着すると共に前記配送品を包装後に配送伝票を貼付けるという方法で行われていた。
【０００３】
そのために、配送伝票と熨斗紙が一通りプリントアウトされるのを待たなければ配送伝票と熨斗紙とのマッチング作業にかかれないという問題や、また、配送伝票と熨斗紙とを手作業によりマッチングさせなけらばならないという極めて手間のかかる煩雑な作業を必要とした。
【０００４】
【発明が解決しようとする課題】
そこで本発明は、上記問題に鑑みてなされたものであり、配送伝票と熨斗紙のプリントアウト時間のタイムラグをなくすと共に、配送伝票と熨斗紙をマッチングさせるという煩雑な作業をもなくす配送伝票と熨斗紙が一体となった同時プリント可能な帳票を提供することである。
【０００５】
【課題を解決するための手段】
本発明者等は、上記のような問題点を解決すべく種々研究した結果、請求項１記載の発明の帳票は、紙と粘着剤層と離型紙からなる矩形状の積層体の表出した紙面に、熨斗の図柄が少なくとも一つ設けられた熨斗紙部と配送伝票が設けられた配送伝票部が形成され、前記熨斗紙部と前記配送伝票部がミシン目により切り取り可能に形成されていることを第１の特徴とするものである。このような構成とすることにより、配送品の配送作業に必要な配送伝票と熨斗紙とを同時にプリント出力することができるために配送作業時のマッチング作業が不要になると共に、配送伝票や熨斗紙が１帳票としてプリント出力されるためにタイムラグのない作業を行うことができ、作業の効率が高くなる。
【０００６】
更に、請求項１記載の発明は、前記配送伝票部において、前記配送伝票部を形成する最上部紙片と前記積層体とが三周辺で接着されてなる一辺に開口部を有する袋状物が形成され、該袋状物内に、所定枚の配送票片を抜き取り可能に介在させた構成からなることを第２の特徴とするものである。このように構成することにより、従来から普及しているドットインパクトプリンターを用いることができる。
【０００７】
更に、請求項１記載の発明は、前記抜き取り可能に介在された所定枚の配送票片の前記最上部紙片側の配送票片が他の配送票片よりも前記開口部から長く突出し、その突出した端部の所定箇所で前記積層体と接着していることを第３の特徴とするものである。このような構成とすることにより、プリンターで印字する際に前記開口部から突出した端部がプリンターヘッドに引っ掛かることがなくなり、作業性が向上すると共にこれによるプリンターヘッドの損傷をなくすことができる。
【０００８】
また、請求項２記載の発明は、紙と粘着剤層と離型紙からなる矩形状の積層体の表出した紙面に、熨斗の図柄が少なくとも一つ設けられた熨斗紙部と配送伝票が設けられた配送伝票部が形成され、前記熨斗紙部と前記配送伝票部がミシン目により切り取り可能に形成されていることを第１の特徴とするものである。このような構成とすることにより、配送品の配送作業に必要な配送伝票と熨斗紙とを同時にプリント出力することができるために配送作業時のマッチング作業が不要になると共に、配送伝票や熨斗紙が１帳票としてプリント出力されるためにタイムラグのない作業を行うことができ、作業の効率が高くなる。
【０００９】
更に、請求項２記載の発明は、前記配送伝票部において、前記配送伝票部を形成する最上部紙片と前記積層体とが三周辺で接着されてなる一辺に開口部を有する袋状物が形成され、該袋状物内に、所定枚の配送票片を抜き取り可能に介在させた構成からなることを第２の特徴とするものである。このように構成することにより、従来から普及しているドットインパクトプリンターを用いることができる。
【００１０】
更に、請求項２記載の発明は、前記抜き取り可能に介在された所定枚の配送票片が前記開口部において、前記最上部紙片側から前記積層体側へ階段状に順に長く突出し、その突出した各端部の所定箇所で、より下方に位置する配送票片ないしは前記積層体と接着していることを第３の特徴とするものである。このような構成とすることにより、前項同様にプリンターで印字する際に前記開口部から突出した端部がプリンターヘッドに引っ掛かることがなくなり、作業性が向上すると共にこれによるプリンターヘッドの損傷をなくすことができる。
【００１１】
また、請求項３記載の発明は、請求項１または請求項２に記載の帳票において、前記最上部紙片が荷札票片からなると共に前記所定枚の配送票片が受領票片と着店控票片からなることを特徴とするものである。
【００１２】
【発明の実施の形態】
上記の本発明について、図面等を用いて以下に更に詳しく説明する。
まず、図１は本発明の帳票の第１の実施形態を示す概略的な平面図、図２は本発明の帳票の第１の実施形態のＸーＸ線の断面図、図３は本発明の帳票の第１の実施形態のＹーＹ線の断面図、図４は本発明の帳票の第２の実施形態を示す概略的な平面図、図５は本発明の帳票の第２の実施形態のＺーＺ線の断面図、図６は本発明の帳票の第３の実施形態のＺーＺ線の断面図、図７は本発明の帳票の製造時の状態を示す１実施例の斜視図である。図中の１，１’，1"は帳票、２は紙、３, ３’は感圧接着層、４は粘着剤層、５は荷札票片、６は受領票片、７は着店控票片、８は離型紙、９，９’は剥離界面、10は粘着剤未コート部、11，11’，11" は配送伝票部、12,13,14はスリット、15,16,16',16",17,18,24はミシン目、19はパート印刷層、20は熨斗紙部、25，25' ，26，27，28，29は接着部、30は固定情報、50はマージナル部、51は帳票移送孔、Ａは積層体をそれぞれ示す。
【００１３】
図１は本発明の帳票の第１の実施形態を示す概略的な平面図であり、帳票１は荷札票片５と受領票片６と着店控票片７とが同一紙片をスリット12,13 により区画形成された配送伝票部11の一端部と、同一紙片に少なくとも一つ熨斗の図柄が印刷により形成された熨斗紙部20の一端部とがミシン目15により切り取り可能に形成されているものである。また、前記熨斗紙部20においては、ミシン目16，16’，16" により大きさの異なる熨斗図柄が分離可能になっている。前記配送伝票部11の荷札票片５と受領票片６と着店控票片７とには各票片の表題，伝票番号，お問い合わせ番号，発送年月日記入欄，届け先記入欄, 依頼主記入欄, 届け先の地域コードを記入する着店コード記入欄, 品名と数量記入欄、前記伝票番号をバーコードで表示したバーコード表示、熨斗図柄等の固定情報30が、あらかじめ印刷されている。また、この帳票１は図１上の上下方向に折り兼切り用ミシン目17,18 を介して連続する状態（図示せず）に構成されている。
【００１４】
図２は本発明の帳票の第１の実施形態のＸーＸ線の断面図であって、帳票１は紙２と粘着剤層４と離型紙８からなる積層体Ａの紙２の表出した紙面に、熨斗の図柄からなる固定情報が印刷により設けられた熨斗紙部20と荷札票片５が設けられた配送伝票部11がミシン目15により切り取り可能に形成され、前記配送伝票部11において荷札票片５は一方の面に固定情報30が印刷により形成され、他方の面全面に接着後に剥離可能ではあるが強固な接着力を有する感圧接着層３が形成され、前記荷札票片５の感圧接着層３と前記積層体Ａの紙２の表出面とが感圧接着層３’を介して接着している。さらに前記配送伝票部11の前記積層体Ａの粘着剤層４の一部に粘着剤未コート部10が形成されると共に前記離型紙８の前記粘着剤未コート部10に対向する位置にスリット14が形成され、配送品に配送伝票部11を貼り付ける際に離型紙８を剥がすきっかけ部を形成している。また、前記熨斗紙部20の前記積層体Ａに大きさの異なる熨斗図柄を分離可能にするミシン目16が設けられている。
【００１５】
図３は本発明の帳票の第１の実施形態のＹーＹ線の断面図であって、配送伝票部11の各票片の一方の面に固定情報30が印刷により形成され、他方の面全面に接着後に剥離可能ではあるが強固な接着力を有する感圧接着層３が形成され、さらに受領票片６と着店控票片７の前記感圧接着層３上にパート印刷層19が形成されると共に前記受領票片６と着店控票片７のパート印刷層19上および荷札票片５の感圧接着層３と積層体Ａの紙２の表出面とが感圧接着層３’を介して接着している。さらに配送伝票部11はスリット12,13 により荷札票片５と受領票片６と着店控票片７とに区画形成されている。
【００１６】
配送伝票部11の配送伝票を使用する際において、受領票片６と着店控票片７は前記積層体Ａの紙２から剥離されて用いられるが、その時の剥離界面９，9'が前記パート印刷層19と前記感圧接着層３’との間になり、前記パート印刷層19がその時の剥離強度を調節する役割を果たすものであり、当然のことであるが荷札票片５と前記積層体Ａの紙２との接着力より弱くなるように、かつ、剥離という手段を加えない限りにおいては剥離しないように接着力が調節されている。
【００１７】
図４は本発明の帳票の第２の実施形態を示す概略的な平面図、図５は本発明の帳票の第２の実施形態のＺーＺ線の断面図であって、帳票１’は紙２と粘着剤層４と離型紙８からなる積層体Ａの紙２の表出した紙面に、熨斗の図柄からなる固定情報が印刷により設けられた熨斗紙部20と荷札票片５と受領票片６と着店控票片７が設けられた配送伝票部11’がミシン目15により切り取り可能に形成され、前記配送伝票部11’において荷札票片５は一方の面に固定情報30が印刷により形成され、他方の面と前記積層体Ａの紙２の表出面とが三周辺に設けられた接着部27で接着されてなる一辺に開口部を有する袋状物が形成され、該袋状物内に、一端側が接着部28により綴じ合わされた、固定情報30が印刷された受領票片６と着店控票片７とを、前記受領票片６と前記着店控票片７の綴じ合わせ部側と反対側の他端部を袋状物の開口部より前記着店控票片７の方が前記受領票片６より長く表出するように前記積層体Ａの前記紙２の表出面に接着層29にて綴じ合わせ、前記受領票片６と前記着店控票片７の前記接着部28，29近傍の前記袋状物の開口部側に前記接着部28に沿ってミシン目24が形成されると共に前記着店控票片７の他端部側の所定箇所が前記積層体Ａの前記紙２の表出面に接着層26にて接着されている。また、前記熨斗紙部20の前記積層体Ａに大きさの異なる熨斗図柄を分離可能にするミシン目16，16',16" が設けられている。さらに前記積層体Ａの粘着剤層４の一部に粘着剤未コート部10が形成されると共に前記離型紙８の前記粘着剤未コート部10に対向する位置にスリット14が形成され、配送品に配送伝票部11’を貼り付ける際に離型紙８を剥がすきっかけ部を形成している。また、この帳票１’は図４上の上下方向に折り兼切り用ミシン目17,18 を介して連続する状態（図示せず）に構成されている。
【００１８】
図６は本発明の帳票の第３の実施形態のＺーＺ線の断面図であって、帳票1"は帳票1'において、配送伝票部11' の受領票片６と着店控票片７とを、前記受領票片６と前記着店控票片７の綴じ合わせ部側と反対側の他端部を袋状物の開口部より前記着店控票片７の方が前記受領票片６より長く表出するように前記積層体Ａの前記紙２の表出面に接着層29にて綴じ合わせ、前記受領票片６と前記着店控票片７の前記接着部28，29近傍の前記袋状物の開口部側に前記接着部28に沿ってミシン目24が形成されると共に前記着店控票片７の他端部側の所定箇所が前記積層体Ａの前記紙２の表出面に接着層26にて接着されているところを、受領票片６と着店控票片７とを、前記受領票片６と前記着店控票片７の綴じ合わせ部側と反対側の他端部を袋状物の開口部より前記受領票片６の方が前記着店控票片７より長く表出するように前記積層体Ａの前記紙２の表出面に接着層29にて綴じ合わせ、前記着店控票片７の他端部側の所定箇所が前記受領票片６と接着部25にて接着されていると共に前記受領票片６の他端部側の所定箇所が前記積層体Ａの前記紙２の表出面に接着層25' にて接着されている配送伝票部11”からなる以外は帳票1'に同じであり、説明は省略する。
【００１９】
図７は本発明の帳票の製造時の状態を示す１実施例の斜視図であり、帳票１’は帳票１’の両端側にマージナル部50が形成され、該マージナル部50に帳票移送孔51が設けられ、該帳票移送孔51がプリンターのトラクタピンに係合し、スムーズにフィードがおこなえると共に配送情報を連続的に機械印字できるようになっている。
【００２０】
実施形態１〜３は、配送伝票部11，11’，11" を構成する配送票片が荷札票片５，受領票片６，着店控票片７の３枚から構成されているが、発店控票片等の他の配送票片を加えた４枚以上から構成されていても構わない。
【００２１】
【発明の効果】
本発明は上記に詳述したように、従来、配送品の配送作業は、お届け先や依頼主の住所や氏名および注文商品名等の配送伝票へのプリントと、粗品や内祝あるいは依頼主名等の配送品に貼着される熨斗紙へのプリントとは別々に行い、プリントした配送伝票と熨斗紙に記載された粗品や内祝あるいは依頼主名等とをマッチングさせて後に、配送品（注文商品）を確認して、配送品に熨斗紙を貼着すると共に前記配送品を包装後に配送伝票を貼付けるという方法で行われていたために、配送伝票と熨斗紙が一通りプリントアウトされるのを待たなければ配送伝票と熨斗紙とのマッチング作業にかかれないという問題や、配送伝票と熨斗紙とをマッチングさせなけらばならないという極めて手間のかかる煩雑な作業を必要としていたが、配送伝票と熨斗紙を一体にすることにより、配送伝票と熨斗紙のプリントアウト時間のタイムラグをなくすと共に、配送伝票と熨斗紙をマッチングさせるという煩雑な作業をもなくすことができ、作業効率を極めて高めることができる帳票である。
【図面の簡単な説明】
【図１】本発明にかかる帳票の第１の実施形態を示す概略的な平面図である。
【図２】本発明にかかる帳票の第１の実施形態のＸーＸ線の断面図である。
【図３】本発明にかかる帳票の第１の実施形態のＹーＹ線の断面図である。
【図４】本発明にかかる帳票の第２の実施形態を示す概略的な平面図である。
【図５】本発明にかかる帳票の第２の実施形態のＺーＺ線の断面図である。
【図６】本発明にかかる帳票の第３の実施形態のＺーＺ線の断面図である。
【図７】本発明にかかる帳票の製造時の状態を示す１実施例の斜視図である。
【符号の説明】
１，１’，1"                  帳票
２                            紙
３, ３’                      感圧接着層
４                            粘着剤層
５                            荷札票片
６                            受領票片
７                            着店控票片
８                            離型紙
９，９’                      剥離界面
10                            粘着剤未コート部
11，11’，11"                 配送伝票部
12,13,14                      スリット
15,16,16',16",17,18,24        ミシン目
19                            パート印刷層
20                            熨斗紙部
25，25' ，26，27，28，29      接着部
30                            固定情報
50                            マージナル部
51                            帳票移送孔
Ａ                            積層体
【図１】
0003853467.tif 000002
【図２】
0003853467.tif 000003
【図３】
0003853467.tif 000004
【図４】
0003853467.tif 000005
【図５】
0003853467.tif 000006
【図６】
0003853467.tif 000007
【図７】
0003853467.tif 000008